(57)【要約】      （修正有）【課題】つけ睫毛を簡単且つしっかりと容器に固定しながらも、取り外しが容易で、装着前の手間を減らすことができる、つけ睫毛用容器を提供する。【解決手段】つけ睫毛を置くための台座３を有するつけ睫毛用容器1であって、前記台座３に設けられ、その台座３の表裏に貫通する貫通孔３１と、前記貫通孔３１を前記台座３の裏側から覆う粘着面５１と、を備えるつけ睫毛用容器１。【選択図】図１
2019141297.tif 000002
【特許請求の範囲】
【請求項１】
つけ睫毛を置くための台座を有するつけ睫毛用容器であって、
前記台座に設けられ、その台座の表裏に貫通する貫通孔と、
前記貫通孔を前記台座の裏側から覆う粘着面と、を備えるつけ睫毛用容器。
【請求項２】
前記台座は、つけ睫毛を載置する表面が平坦である、請求項１に記載のつけ睫毛用容器。
【請求項３】
前記台座の表面から立ち上がった壁面部が設けられ、その壁面部は、つけ睫毛の形状に合うように円弧状に湾曲した曲面に形成されている、請求項１に記載のつけ睫毛用容器。
【請求項４】
前記貫通孔は、前記壁面部または壁面部付近の台座表面の少なくとも一方に設けられている、請求項３に記載のつけ睫毛用容器。
【請求項５】
前記貫通孔は、前記壁面部と前記台座の表面の境界部分に設けられている、請求項３または４に記載のつけ睫毛用容器。
【請求項６】
前記壁面部と前記台座との境界部分は、前記台座の側面から見た際に、載置するつけ睫毛のカールの形状に合うように曲面に形成されている、請求項３〜５の何れかに記載のつけ睫毛用容器。
【請求項７】
前記貫通孔は、前記つけ睫毛の複数本の睫毛の先端を挿入可能な大きさに形成されている、請求項１〜６の何れかに記載のつけ睫毛用容器。
【請求項８】
前記台座の上面が傾斜している、請求項１〜７の何れかに記載のつけ睫毛用容器。
【請求項９】
前記台座の、少なくとも１対の向かい合う両辺に、載置するつけ睫毛の高さよりも高い突起部が設けられている、請求項１〜８の何れかに記載のつけ睫毛用容器。
【発明の詳細な説明】
【技術分野】
【０００１】
つけ睫毛を確実に固定し、且つ取り外しが容易なつけ睫毛用容器に関する。
【背景技術】
【０００２】
つけ睫毛という化粧用品がある。つけ睫毛は、複数の毛と、毛をまとめるための軸を有している。つけ睫毛は毛の太さや長さ、量、軸からの角度などの要素によって、使用者が装着した際の目の印象を大きく変えることができる。そのため、メーカーは化粧をする人々の需要に合わせて、様々なつけ睫毛を製造している。
【０００３】
一方、輸送、販売、保管する際につけ睫毛を保護するためのつけ睫毛用容器の、つけ睫毛を固定するための方法は、あまり種類が豊富とは言い難い。というのも、容器の形状や装飾などは、それぞれの商品ごとにデザインが異なり多種多様であるが、容器につけ睫毛を固定する方法は、市場に出ている多くの商品で共通している。例えば特許文献１に記載されているような、つけ睫毛を固定するための弧状突起形状の保持台が２以上設けられた容器が、一般的に広く使用されている。つけ睫毛は、基台（軸）に専用の接着剤を塗布され、弧状突起形状の保持台に貼り付けて固定されている。
【先行技術文献】
【特許文献】
【０００４】
【特許文献１】登録実用新案第３１５７６８０号
【発明の概要】
【発明が解決しようとする課題】
【０００５】
つけ睫毛を保持台に貼り付ける工程は、生産工場にて手作業で行われている。そのため、接着剤の量にバラつきが生じ、消費者がつけ睫毛を保持台から取り外す際、接着力が強すぎてつけ睫毛が壊れてしまうという問題が起きていた。さらに、年々、つけ睫毛をより自然に、地毛のように見せるため、毛自体も繊細となってきており、取り外す際の破損が起こりやすくなってしまっていた。
【０００６】
加えて、保持台からつけ睫毛を取り外しても、保持台に固定するための接着剤が軸に残っている場合がある。瞼に取り付けるための接着剤を塗布する前に、保持台に取り付けるための接着剤をきちんと落とさなければならず、使用者に煩わしさを感じさせていた。
さらに、使用者は、一つのつけ睫毛を３回ほど使用するため、一度つけ睫毛を容器から取り外したものを、保管のためにもう一度、容器に戻すことはよく行われている。しかし、容器には一回しか固定できない接着剤が使用されているため、使用者は気軽につけ睫毛を容器に固定できない。固定されていないことにより、つけ睫毛が、容器の中で散乱し、形状が崩れてしまうということが起きていた。
【０００７】
本発明は、上記実情に鑑みてなされた発明であり、つけ睫毛を簡単且つしっかりと容器に固定しながらも、取り外しが容易で、装着前の手間を減らすことができる、つけ睫毛用容器を提供することを課題とする。
【課題を解決するための手段】
【０００８】
上記課題を解決するために、本発明に係るつけ睫毛用容器は、
つけ睫毛を置くための台座を有するつけ睫毛用容器であって、
前記台座に設けられ、その台座の表裏に貫通する貫通孔と、
前記貫通孔を前記台座の裏側から覆う粘着面と、を備える。
【０００９】
このような構成とすることで、つけ睫毛の軸ではなく、毛をつけ睫毛用容器に固定できる。そのため、つけ睫毛を容器にしっかりと固定することも、取り外すことも容易となる。さらに軸に容器に固定するための接着剤が付着しないため、装着前の手間を減らすことができる。
【００１０】
また、本発明の好ましい形態では、前記台座は、つけ睫毛を載置する表面が平坦であることを特徴とする。
このようにすることで、つけ睫毛用容器を薄くすることができ、輸送・販売・保管時に場所を取らない。
【００１１】
本発明の好ましい形態では、前記台座の表面から立ち上がった壁面部が設けられ、その壁面部は、つけ睫毛の形状に合うように円弧状に湾曲した曲面に形成されていることを特徴とする。
このようにすることで、つけ睫毛を見栄えよくつけ睫毛用容器に取り付けることができる。
【００１２】
本発明の好ましい形態では、前記貫通孔は、前記壁面部または壁面部付近の台座表面の少なくとも一方に設けられていることを特徴とする。
【００１３】
本発明の好ましい形態では、前記貫通孔は、前記壁面部と前記台座の表面の境界部分に設けられていることを特徴とする。
このようにすることで、つけ睫毛の軸を、壁面部の上端よりも上方に位置し、壁面部及び台座表面と離間して、つけ睫毛をつけ睫毛用容器に取り付けることができる。軸が壁面部及び台座表面と離間していることで、つけ睫毛の使用者が、軸に瞼に取り付けるための接着剤を塗布し易くなる。
【００１４】
本発明の好ましい形態では、前記壁面部と前記台座との境界部分は、前記台座の側面から見た際に、載置するつけ睫毛のカールの形状に合うように曲面に形成されていることを特徴とする。
このようにすることで、さらにつけ睫毛を見栄えよくつけ睫毛用容器に取り付けることができる。
【００１５】
本発明の好ましい形態では、前記貫通孔は、前記つけ睫毛の複数本の睫毛の先端を挿入可能な大きさに形成されていることを特徴とする。
このようにすることで、つけ睫毛をつけ睫毛用容器に固定する際の、位置決めを容易にすることができる。
【００１６】
本発明の好ましい形態では、前記台座の上面が傾斜していることを特徴とする。
このようにすることで、つけ睫毛用容器を薄くし場所を取らないようにしつつ、載置されるつけ睫毛の見栄えをよくすることができる。
【００１７】
本発明の好ましい形態では、前記台座の、少なくとも１対の向かい合う両辺に、載置するつけ睫毛の高さよりも高い突起部が設けられていることを特徴とする。
このようにすることで、輸送・販売・保管時につけ睫毛用容器に載置するつけ睫毛の形状を保護することができる。
【発明の効果】
【００１８】
つけ睫毛を簡単且つしっかりと容器に固定しながらも、取り外しが容易で、装着前の手間を減らすことができる、つけ睫毛用容器を提供できる。
【図面の簡単な説明】
【００１９】
【図１】本発明の実施形態１に係る、つけ睫毛用容器の平面図及び正面図である。
【図２】本発明の実施形態１に係る、つけ睫毛を固定した状態のつけ睫毛用容器の平面図である。
【図３】本発明の実施形態１に係る、つけ睫毛用容器の断面図及び側面図である。
【図４】本発明の実施形態１に係る、孔の形状や位置の例を示す平面図である。
【図５】本発明の実施形態２に係る、つけ睫毛用容器の平面図である。
【図６】本発明の実施形態２に係る、つけ睫毛用容器の断面図及び側面図である。
【図７】本発明の実施形態２に係る、孔の形状や位置の例を示す平面図である。
【発明を実施するための形態】
【００２０】
＜実施例１＞
実施形態１は、つけ睫毛を固定する台座の表面が平滑となっているつけ睫毛用容器である。以下、図面を用いて、本発明の実施形態１について説明する。図１は、２対のつけ睫毛を固定できる本実施形態のつけ睫毛用容器１の図である。図１（ア）平面図、（イ）は正面図である。図２は２対のつけ睫毛９を台座３に固定した状態のつけ睫毛用容器１を示している。また、図３（ア）は図２のＡ−Ａ’断面図で、（イ）はつけ睫毛用容器１を保護用又は化粧用の透明なケース７に収納した際の、側面から見た図である。点線は隠れ線である。
【００２１】
本実施形態のつけ睫毛用容器１は、図１及び図３（ア）に示されるように、台座３と、シール５と、を備えている。台座３はつけ睫毛９を置くための平滑な面と、台座３の両端に突起部３３が設けられ、さらに台座３の平滑な面には、円形の８個の孔３１が表裏に貫通してあけられている。
【００２２】
図３（ア）に示されるように、台座３の裏面には、片面に粘着面５１を備えたテープ状のシール５が、台座３に設けられた孔３１を覆うようにして、貼り付けられている。つまり、台座３の平面視では、孔３１からシール５の粘着面５１が見えるようになっている。
本実施形態のシール５は、孔３１の直径よりも大きい幅のテープ状のものを２枚用いている。孔３１の直径よりも幅が大きいため、著しく貼る位置を間違えなければ、孔３１の列に対して斜めにシール５を貼ってしまっても、その列の孔３１は全て覆うことができる。ただし、実施形態をこれに限るものではなく、孔３１を覆うように台座３の裏面から貼り付けるものであれば、シール５の形状や枚数は自由に変更して良い。
【００２３】
図２及び図３（ア）に示されるように、１つのつけ睫毛９の両端の複数本の毛９３は、２つの孔３１のうち何れか近い方を通り抜け、台座３の裏面に取り付けられたシール５の粘着面５１に貼り付け固定される。また、本実施形態では、１つのつけ睫毛９を固定するために、孔３１は２つ使用される。
【００２４】
シール５の片面に設けられた粘着面５１は、つけ睫毛９をしっかりと固定でき、かつ使用者がつけ睫毛９を剥がしやすくなるよう、バランスの良い粘着力を備えている。粘着力が強すぎると、取り外すときにつけ睫毛９が壊れてしまうし、逆に剥がしやすすぎる粘着力では、輸送時や販売時の落下等の衝撃でつけ睫毛９が台座３から剥がれてしまう。
【００２５】
生産工場で、つけ睫毛９をつけ睫毛用容器１に固定する際、既に台座３の裏面には粘着面５１を備えたシール５が取り付けられている。そのため、従来のように、つけ睫毛９一つ一つのために接着剤を塗布する作業は必要ない。さらに、二つの孔に、つけ睫毛９の両端の複数の毛先７３が入れば良いため、載置位置を定めるのも容易になり、一つのつけ睫毛をつけ睫毛用容器１に固定するための時間を大幅に短縮できる。
【００２６】
さらに、本実施形態では、一定の粘着力を持ったシール５を用いている。これにより、つけ睫毛９をつけ睫毛用容器１に固定する力が一定となり、品質を安定させることができる。
【００２７】
加えて、接着剤ではなくシール５とすることで、一度つけ睫毛９を台座３から取り外しても、再度台座３に固定することができるようになった。使用者は、つけ睫毛９をつけ睫毛用容器１から取り外し、使用者自身の瞼に装着し、用事が済んだら瞼からつけ睫毛９を取り外す。そして、あと数回使用するつけ睫毛９の形状が崩れないようにするため、つけ睫毛９をもともと固定されていた孔３１に戻すことで、再び固定できる。これにより、収納時に、つけ睫毛９がつけ睫毛用容器１内に散乱することを防ぎ、つけ睫毛９の形状を保つことができる。
【００２８】
再度固定ができることは、つけ睫毛９を瞼に装着する際にも、使用者にとって使いやすい道具となる。つけ睫毛９には、軸９１と、毛９３とがある。使用者が瞼につけ睫毛９を装着するには、まず軸９１に専用の接着剤を塗布する。この接着剤を塗布したあと、すぐ装着するのではなく、一定時間放置して接着剤をある程度乾かす必要がある。この乾燥の間、自分の手につけ睫毛９を持ち、呆然と乾燥を待つ時間は、使用者としては煩わしいものであった。片手がふさがっているため、もう一方のつけ睫毛９に接着剤を塗布することもできないが、かといってつけ睫毛９を固定できないつけ睫毛用容器１に置いても、つけ睫毛９が転倒し接着剤が剥がれるだけである。
しかし、本実施形態では、つけ睫毛９をつけ睫毛用容器１に固定するための粘着剤は、繰り返し固定できるシール５である。そのため、接着剤を塗布した後、台座３に再び固定できるため、接着剤の乾燥時間であっても両手が自由となる。
【００２９】
また、本実施形態ではつけ睫毛９の軸９１には、つけ睫毛用容器１に固定するための接着剤が設けられていない。そのため、従来の製品で必要であった、瞼に装着するための接着剤を塗布する前に、つけ睫毛用容器１に固定するための接着剤を軸９１から取り除く作業、が本実施形態では必要なくなった。
さらに、本実施形態では、台座３と軸９１が離れているため、つけ睫毛用容器１に固定された状態のまま、瞼に装着するための接着剤を軸９１に塗布することもできる。つけ睫毛用容器１に固定したまま接着剤を軸９１に塗布するか、一旦つけ睫毛用容器１から取り外してから接着剤を軸９１に塗布するかは、使用者がやりやすい方を選べばよい。
【００３０】
図３（イ）は、輸送時等につけ睫毛９を保護するために、つけ睫毛用容器１を、蓋及び受け皿１対の透明なケース７に収納した状態を示している。ケース７の内寸の高さは、突起部３３と、台座３の底面との高さと同じである。こうすることで、つけ睫毛用容器１がケース７の中を動くのを防ぐ。
さらに、台座３の突起部３３は、つけ睫毛９の高さ（台座表面と、軸９１との最も離れた距離）よりも高くなるよう形成されている。この突起部３３があることで、ケース７の上面がつけ睫毛９に触れ、つけ睫毛９の形状が崩れてしまうことを防いでいる。
本実施形態のケース７は、つけ睫毛用容器１を固定し、つけ睫毛９を保護できる最低限の形状を示したが、実施形態はこれに限らない。ケース７は、つけ睫毛９を保護できる物であればなんでもよく、販促用の化粧用容器と兼ねていても良い。あるいは、ケース７をさらに販促用の化粧用容器に収納しても良い。形状も色も自由で良い。
【００３１】
次に、孔３１について説明する。
つけ睫毛９の一端の数本の毛９３の毛先と、もう一端の数本の毛９３の毛先と、の直線距離のことを、以降、つけ睫毛９の長さ、と呼ぶこととする。
台座３の表面に設けられた２つの孔３１は、つけ睫毛９全体の形状を崩すことなく固定できるような位置関係にある。つまり、２つの孔３１は、つけ睫毛９の長さと、おおよそ同じ距離になるような位置関係にある。
【００３２】
つけ睫毛９の長さよりも離れた位置に孔３１を２つ設けてしまうと、湾曲しているつけ睫毛９を伸ばさなければ、孔３１を通して粘着面５１に固定することができず、つけ睫毛９の形状が崩れてしまう。逆に、つけ睫毛９の長さよりも近い位置に孔３１を２つ設けてしまうと、つけ睫毛９の形状は崩れないが、つけ睫毛９のどの部分を、孔３１を通して粘着面５１に固定したらよいかがわかりにくくなる。さらに、つけ睫毛９の長さよりも、２つの孔３１の距離が極端に短い場合、つけ睫毛９の端部が浮いてしまい、見栄えを損なってしまう。つけ睫毛９の形状を崩すことなく、短時間で整然とつけ睫毛９を固定するために、１つのつけ睫毛９を固定するための２つの孔３１は、つけ睫毛９の長さとおおよそ同じ程度の距離になるような位置関係に設けるのが良い。
【００３３】
図４は、図２のＢ−Ｂ’部分の拡大図であり、本実施形態の孔３１に関する他の例を示している。図４は、便宜上、左右で１組のつけ睫毛９のうち、右目用のつけ睫毛９のみを図示している。図４（ア）のつけ睫毛９は、つけ睫毛９の長さが、図２のつけ睫毛９よりも短いタイプである。前述したように、２つの孔３１は、つけ睫毛９全体の形状を崩すことなく固定できるような位置関係にあれば良い。そのため、このような短いタイプのつけ睫毛９を固定する場合には、２つの孔３１の距離を短いタイプのつけ睫毛９の長さと、およそ同じ距離となるように変更することで対応できる。
【００３４】
あるいは、１つのつけ睫毛９に必要な孔３１の数も任意に変更できる。図４（イ）のつけ睫毛９は、（ア）よりもさらに部分的に使用するつけ睫毛９である。ここまでつけ睫毛９の長さが短い場合、孔３１は１つのつけ睫毛９に対して、１つ設けられていれば十分である。このように、つけ睫毛９のサイズによって、１つのつけ睫毛９を固定する孔３１の数は、任意に変更して良い。
【００３５】
ここまで、孔３１が正円の形状となっているつけ睫毛用容器１について説明してきたが、孔３１の形状は正円に限らない。図４（ウ）のように四角形でもよいし、他には例えば楕円や半月型などでもよい。あるいは、図４（エ）のようにつけ睫毛９の湾曲した形状に合わせて、カーブ状の孔３１を１つのつけ睫毛９に対して１つ設けても良い。このように、孔３１は、つけ睫毛９の長さ、毛９３の長さや太さ、毛９３の量、毛９３の材質等のつけ睫毛９の条件に合わせて、使いやすいように自由な形状として良い。
【００３６】
つけ睫毛９の形状に合わせて、任意に孔３１の位置を変更するだけで、つけ睫毛９の形状を崩すことなくつけ睫毛用容器１に固定することができる。そのため、台座３の形状を変更することなく、どのような形状のつけ睫毛９にも対応できる。
【００３７】
本実施形態では、１つのつけ睫毛用容器１に４つ２組のつけ睫毛９を固定する場合を説明してきた。しかし、実施形態はこれに限らず、つけ睫毛用容器１に固定するつけ睫毛９の数は、商品に合わせて任意に変更して良い。
【００３８】
＜実施例２＞
実施形態２は、つけ睫毛を固定する台座に、立ち上がった壁面部が設けられているつけ睫毛用容器２である。以下、図面を用いて、本発明の実施形態２について説明する。図５は、２対のつけ睫毛を固定できる本実施形態のつけ睫毛用容器２の平面視である。（ア）は、つけ睫毛９を固定していない状態のつけ睫毛用容器２で、（イ）は２対のつけ睫毛９を台座４に固定した状態のつけ睫毛用容器２を示している。また、図６（ア）は図５（イ）のＣ−Ｃ’断面図で、（イ）はつけ睫毛用容器２を保護用の透明な蓋８を被せた際の、台座４の側面から見た図である。
【００３９】
本実施形態のつけ睫毛用容器２は、図５及び図６（ア）に示されるように、台座４と、シール６と、蓋８とを備えている。台座４はつけ睫毛９を置くための壁面部４５と、台座４の両端に突起部４３が設けられ、さらに壁面部４５と、壁面部４５と台座表面の境界部分には、円形の孔４１が表裏に貫通してあけられている。
【００４０】
本実施形態の壁面部４５は、つけ睫毛９の形状に合うように円弧状に湾曲した曲面に形成されている。さらに、本実施形態では、壁面部４５の下端と、台座４との境界部分は、台座４の側面から見た際に載置するつけ睫毛９のカールの形状に合うように曲面に形成されている。通常、つけ睫毛９の軸９１は、使用者の瞼に合うように湾曲するよう形成されている。加えて、使用者がつけ睫毛９を装着した際に美しく見えるように、毛９３は上向きにカールするよう形成されている。前述した本実施形態の壁面部４５の形状は、このようなつけ睫毛９の形状を崩さないようにすることができ、さらに商品として店頭に陳列する際の見栄えも良くすることができる。
【００４１】
図６（ア）に示されるように、台座４の裏面には、片面に粘着面を備えたシール６が、台座４に設けられた孔４１を覆うようにして、貼り付けられている。つまり、台座４の平面視では、孔４１からシール６の粘着面６１が見えるようになっている。
さらに、本実施形態のシール６は、短辺が両突起部４３の向かう合う面の距離とおよそ同じ長さとなっており、シール６の長辺は台座４の長辺とおよそ同じ長さとなっている。この大きさにすることで、一枚のシール６だけで全ての孔４１を覆うことができる。最も外側の４つの孔４１同士の距離よりも大きいサイズであるため、シール６を貼る位置を定める時間が減る。さらに一枚だけ貼れば良いため、貼るための時間も減る。このため、工場でのシール６の貼付け作業の手間や時間を大幅に短くできる。ただし、実施形態をこれに限るものではなく、孔４１を覆うように台座４の裏面から貼り付けるものであれば、シール６の形状や枚数は自由に変更して良い。
【００４２】
図５（イ）及び図６（ア）に示されるように、１つのつけ睫毛９の両端の複数本の毛９３は、２つの孔４１のうち何れか近い方を通り抜け、つけ睫毛９が載置される側と反対側に取り付けられたシール６の粘着面６１に貼り付け固定される。また、本実施形態では、１つのつけ睫毛９を固定するために、孔４１は２つ使用される。
【００４３】
シール６の片面に設けられた粘着面６１は、つけ睫毛９をしっかりと固定でき、かつ使用者がつけ睫毛９を剥がしやすいような、バランスの良い粘着力を備えている。本実施形態のシール６の効果（粘着力、製造時間の短縮・品質安定化や、型崩れの心配なく収納できること、装着の手間の煩わしさの軽減）については、実施形態１のシール５（段落００２４〜００２８に記載）と同様のため、省略する。
【００４４】
また、実施形態１と同様に、本実施形態ではつけ睫毛９の軸９１には、つけ睫毛用容器２に固定するための接着剤が設けられていない。そのため、従来の製品で必要であった、瞼に装着するための接着剤を塗布する前の、つけ睫毛用容器２に固定するための接着剤を軸９１から取り除く作業、が必要なくなった。
さらに、本実施形態では、軸９１が壁面部の上端よりも上方に位置し、壁面部４５及び台座４表面とは離間している。そのため、使用者はつけ睫毛用容器２に固定された状態のまま、瞼に装着するための接着剤を軸９１に塗布できる。もちろん、実施形態１と同様に、つけ睫毛９をつけ睫毛用容器２に固定したまま接着剤を軸９１に塗布するか、つけ睫毛９を一旦つけ睫毛用容器２から取り外してから接着剤を軸９１に塗布するかは、使用者がやりやすい方を選べばよい。
【００４５】
図６（イ）は、輸送時等につけ睫毛９を保護するために、台座４に合う透明な蓋８を被せた状態を示している。突起部４３はつけ睫毛９の高さよりも高いため、蓋８がつけ睫毛９に触れることは無く、つけ睫毛９の形状が崩れてしまうことを防ぐことができる。
本実施形態の蓋８は、つけ睫毛９を保護できる最低限の形状を示したが、実施形態はこれに限らない。蓋８は、つけ睫毛９を保護できる物であればなんでもよく、販促用の化粧用容器と兼ねていても良い。あるいは、蓋８付きのつけ睫毛用容器２をさらに販促用の化粧用容器に収納しても良い。形状も色も自由で良い。
【００４６】
一つのつけ睫毛９を固定するための２つの孔４１同士の位置関係については、実施形態１（段落００３１〜００３２に記載）と同様のため、省略する。
【００４７】
図７は、図５（イ）のＤ−Ｄ’部分の拡大図であり、本実施形態の孔４１に関する他の例を示している。図７は、便宜上、左右で１組のつけ睫毛９のうち、右目用のつけ睫毛９のみを図示している。
【００４８】
本実施形態の孔４１は、固定するつけ睫毛９の形状によって、台座４から隆起した壁面部４５、壁面部４５付近の台座４表面部分、又は壁面部４５と台座４表面との境界部分４７、のいずれかの位置に任意に設けられる。これは、つけ睫毛９の軸９１を、壁面部４５の上端より上方に離間した位置に固定するためである。
【００４９】
つけ睫毛９の毛９３の長さは、つけ睫毛９の種類によって異なる。例えば、毛９３が短いつけ睫毛９を固定する場合は、図７（ア）のように、孔４１を壁面部４５に設ける。毛９３が長いつけ睫毛９を固定する場合には、図７（イ）のように、孔４１を壁面付近の台座表面部分に設ける。毛９３の長さによっては、図７（ウ）のように、壁面部４５と台座４表面との境界部分４７に孔４１が設けられることもある。また、つけ睫毛９の種類によっては、目頭にあたる付近の毛９３は短く、目じりかけて長くなるように作られているタイプもある。このようなタイプのつけ睫毛９には、図５（ア）のように一方の孔を壁面部４５に、もう一方の孔４１を壁面部４５と台座４表面との境界部分４７に設けることもできる。
【００５０】
図７（エ）に示されたつけ睫毛９は、つけ睫毛９の長さが、図５（イ）のつけ睫毛９よりも長いタイプである。前述したように、２つの孔４１は、つけ睫毛９全体の形状を崩すことなく、見栄えよく固定できるような位置関係にあれば良い。そのため、このような長いタイプのつけ睫毛９を固定する場合には、図７（エ）に示されるように、２つの孔４１の距離が、長いタイプのつけ睫毛９の長さと、およそ同じ距離となるように変更することができる。
【００５１】
また、実施形態１と同様に、１つのつけ睫毛９に必要な孔４１の数も任意に変更できる。つけ睫毛９の長さによっては、１つのつけ睫毛９に対して、孔４１が１つ設けられていれば十分な場合は、１つのつけ睫毛９に対して、孔４１が１つ設ければ良い。このように、つけ睫毛９のサイズによっては、１つのつけ睫毛９を固定する孔４１の数は、任意に変更して良い。
【００５２】
ここまで、孔４１が正円の形状となっているつけ睫毛用容器２について説明してきたが、孔４１の形状は正円に限らない。孔４１は四角形でもよいし、楕円や半月型などでもよい。あるいは、実施形態１の図４（エ）のようなつけ睫毛９の湾曲した形状に合わせたカーブ状の孔４１を設けても良い。孔４１は、つけ睫毛９の長さ、毛９３の長さや太さ、毛９３の量、毛９３の材質等のつけ睫毛９の条件に合わせて、使いやすいように自由な形状として良い。
【００５３】
つけ睫毛９の形状に合わせて、任意に孔４１の位置や形状を変更するだけで、つけ睫毛９の軸９１を、壁面部４５の上端より上方に離間した位置に固定することができる。そのため、台座４の形状を変更することなく、どのような形状のつけ睫毛９にも対応できる。
【００５４】
本実施形態では、１つのつけ睫毛用容器２に４つ２組のつけ睫毛９を固定する場合を説明してきた。しかし、実施形態はこれに限らず、つけ睫毛用容器２に固定するつけ睫毛９の数は、商品に合わせて任意に変更して良い。
【符号の説明】
【００５５】
１  つけ睫毛用容器（実施形態１）
２  つけ睫毛用容器（実施形態２）
３  台座（実施形態１）
３１  孔
３３  突起部
４  台座（実施形態２）
４１  孔
４３  突起部
４５  壁面部
５  シール（実施形態１）
５１  粘着面
６  シール（実施形態２）
６１  粘着面
７  ケース
８  蓋
９  つけ睫毛
９１  軸
９３  毛
【図１】
2019141297.tif 000003
【図２】
2019141297.tif 000004
【図３】
2019141297.tif 000005
【図４】
2019141297.tif 000006
【図５】
2019141297.tif 000007
【図６】
2019141297.tif 000008
【図７】
2019141297.tif 000009
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
つけ睫毛を置くための台座を有するつけ睫毛用容器であって、
前記台座の表面から立ち上がった壁面部と、
前記台座を表裏に貫通する貫通孔と、
前記貫通孔を前記台座の裏側から覆う粘着面と、を備え、
前記壁面部は、つけ睫毛の形状に合うように円弧状に湾曲した曲面に形成されており、
前記貫通孔は、前記壁面部、又は、前記壁面部の下端から伸びている前記台座の表面、又は、前記壁面部と前記台座の表面との境界、のいずれかに設けられているつけ睫毛用容器。
【請求項２】
前記壁面部と前記台座との境界部分は、前記台座の側面から見た際に、載置するつけ睫毛のカールの形状に合うように曲面に形成されている、請求項１に記載のつけ睫毛用容器。
【請求項３】
前記貫通孔は、前記つけ睫毛の複数本の睫毛の先端を挿入可能な大きさに形成されている、請求項１又は２に記載のつけ睫毛用容器。
【請求項４】
前記台座の上面が傾斜している、請求項１〜３の何れかに記載のつけ睫毛用容器。
【請求項５】
前記台座の、少なくとも１対の向かい合う両辺に、載置するつけ睫毛の高さよりも高い突起部が設けられている、請求項１〜４の何れかに記載のつけ睫毛用容器。
【手続補正２】
【補正対象書類名】明細書
【補正対象項目名】０００８
【補正方法】変更
【補正の内容】
【０００８】
上記課題を解決するために、本発明に係るつけ睫毛用容器は、
つけ睫毛を置くための台座を有するつけ睫毛用容器であって、
前記台座の表面から立ち上がった壁面部と、
前記台座を表裏に貫通する貫通孔と、
前記貫通孔を前記台座の裏側から覆う粘着面と、を備え、
前記壁面部は、つけ睫毛の形状に合うように円弧状に湾曲した曲面に形成されており、
前記貫通孔は、前記壁面部、又は、前記壁面部の下端から伸びている前記台座の表面、又は、前記壁面部と前記台座の表面との境界、のいずれかに設けられている。